(57)【要約】【課題】中央監視装置と接続される複数の端末器４により、定常または非定常状態の監視中に端末器が非定常状態を検知した場合、その時点で各端末器の取り付け位置を特定しにくく効果的にブザー手段を吹鳴可能とする。【解決手段】定常または非定常の状態を監視する複数の端末器２〜４および１台の中央処理装置２１と、端末器２〜４および中央処理装置２１との間で定常状態または非定常状態に関するデータの送信および受信を行うデータ通信手段６と、端末器２〜４にて警報音を鳴らすブザー手段２０とを備え、中央処理装置２１は、定常または非定常状態の監視中に、端末器２〜４から非定常状態である信号を受信した場合、非定常状態を送信した端末器に加えて非定常状態を送信しない端末器のブザー手段２０を短い時間だけ動作させた後にこれらを停止させ、その後に非定常状態を送信した端末器のブザー手段２０のみを動作させる。【選択図】  図２
2004326145.tif 000002
【特許請求の範囲】
【請求項１】
定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて警報音を鳴らすブザー手段とを備え、前記中央処理装置は、定常または非定常の状態の監視中に、前記端末器から非定常状態である信号を受信した場合、前記非定常状態を送信した端末器および非定常状態を送信しない前記端末器の前記ブザー手段を所定時間だけ動作させた後に停止させ、その後に前記非定常状態を送信した端末器の前記ブザー手段のみ動作させるようにした監視システム。
【請求項２】
中央処理装置は、使用者の操作により端末器のブザー手段を動作させる時間を設定する第１の操作入力手段を備え、定常または非定常状態の監視中に、前記端末器から非定常状態である信号を受信した場合、前記非定常状態を送信した端末器および非定常状態を送信しない前記端末器の前記ブザー手段を前記第１の操作入力手段により設定した時間だけ動作させるようにした請求項１記載の監視システム。
【請求項３】
中央処理装置は、使用者の操作により前記端末器の中で特定の端末器を設定する第２の操作入力手段を備え、定常または非定常状態の監視中に、前記端末器から非定常状態である信号を受信した場合、前記非定常状態を送信した端末器および非定常状態を送信しない前記端末器の中で前記第２の操作入力手段により設定した特定の端末器の前記ブザー手段を所定時間だけ動作させるようにした請求項１〜２のいずれか１項記載の監視システム。
【請求項４】
請求項１〜３のいずれか記載の監視システムにて少なくとも一つの手段をコンピュータに実行させるためのプログラム。
【発明の詳細な説明】
【０００１】
【発明の属する技術分野】
本発明は、端末器からの非定常信号に基づいて中央処理装置から自動通報を行う監視システムに関するものである。
【０００２】
【従来の技術】
近年、窃盗犯罪の増加に伴い、住居における監視システムの需要が増加している。従来この種の監視システムは、侵入者検知用のセンサ端末器と警報を発する中央処理装置との組み合わせからなり、中央処理装置は、各センサ端末器より侵入発生などの非定常状態を受け付けると（例えば使用者が警備サービスを契約している）警備会社の外線電話へ自動的に通報し、中央処理装置との間で音声通話、あるいは、中央処理装置に接続しているカメラの映像をＦＡＸ信号に変換するなどして警備会社に送信するものが提案されている（例えば、特許文献１参照）。
【０００３】
また、最近では、カメラの映像を確認する機能を廃して、各センサ端末器と中央処理装置との間で簡易的な通話機能（宅内インターホン機能）を備えた安価な監視システムも提案されており、以下、その構成について説明する。
【０００４】
図９は、従来この種の監視システムのシステムブロック図であり、１は中央処理装置、２〜４は端末器である。これら中央処理装置１と端末器２〜４の間は、後述する無線による通信手段によって通信が行われる。
【０００５】
図１０は中央処理装置１の内部ブロック図である。５は制御手段、６はデータ通信手段、７は音声を変復調して通信を行う音声通信手段、８はデータ通信手段６からの出力を受けて外線電話に接続して音声通信手段７を公衆回線に接続する公衆回線接続手段。９は電話回線に接続するための外線接続部、１０は１全体の状態を表示する表示部、１１は中央処理装置１全体の動作を設定する設定部である。１２は音声通信手段６から出力される音声を拡声する音声出力手段、１３は中央処理装置から端末器に対して音声を送信するための音声入力手段である。
【０００６】
図１１は端末器２〜４の内部ブロック図である。１４は侵入検知手段で（図示はしないが）人を検知するセンサーの場合では、赤外線の受発光部を設けており、端末器２〜４の周囲１〜３ｍに発光した赤外線出力の変化に応じて非定常状態を検知するものであり、窓の開閉状態を検知するセンサーの場合では、窓の開閉により磁石の近接の変化に応じて非定常状態を検知するものである。
【０００７】
つまり、この端末器を宅内の窓近傍あるいは居間などに設置することにより、外部から宅内への侵入を検知することができる。
【０００８】
１５は端末制御部で、侵入検知手段１４からの非定常信号、すなわち侵入が発生したという情報を、中央処理装置１に対して自らの端末器コードと共に、データ通信手段１６を用いて無線によって送信するものである。１７は音声通信手段で、中央処理装置１との間で音声信号を通信する。１８は音声出力手段で、音声通信手段１７によって受信・復調された音声信号を拡声するものである。１９は音声入力手段で、これによって端末器２周辺の音声は集音され、音声通信手段１７で変調されて中央処理装置１に送信される。２０は端末器２〜４自体で警報音を吹鳴するブザー手段である。
【０００９】
以上の構成に基づいて動作を説明する。使用者の外出時において、中央処理装置１の設定部１１により警戒モードを設定することにより、制御手段５は、データ通信手段６に対して端末器２〜４を警戒モードに切り替えるよう信号を出力し、端末器２〜４のデータ通信手段１６を介して端末制御部１５は（それまでの）非警戒モードから警戒モードに切り替えるのと同時に、侵入検知手段１４からの信号を受付け可能な状態にする。
【００１０】
警戒動作中において端末器２〜４が設置されている宅内の窓近傍あるいは居間に外部から宅内への侵入があると侵入検知手段１４が動作し、端末器２〜４におけるデータ通信手段１６に対して非定常状態発生の信号が出力される。データ通信手段１６はこの信号を受けると中央処理装置１のデータ通信手段６に対して信号を発信する。この信号は、まず自らの端末器のアドレスコードと侵入が発生したという旨の状態コードを順次送信する。中央処理装置１では、中央処理装置１のデータ通信手段６においてこの送信信号を受信し、どの端末器からの信号かを判別し、さらには侵入発生した旨の信号を受信する。この信号に基づき、中央処理装置１は非定常状態発生の信号を出力した端末器に対してデータ通信手段６を介して警報音を鳴らすよう出力し、非定常状態発生の信号を出力した端末器のデータ通信手段１６がこれを受信すると端末制御部１５はブザー手段２０を動作させ警報音を発する。
【００１１】
一方、中央処理装置１は公衆回線接続手段８を動作させ、外線接続部９から予め登録された電話番号に対応した宅外の電話機との通話構成が確立する。これによって端末器の周辺の音声を、音声入力手段１９を通じて宅外の電話機でモニタすることができるようになり、周辺状況の傍受が可能となる。また、必要な場合は電話機を通じて音声出力手段１８から使用者の音声によって侵入者に対して威嚇を行うわけである。
【００１２】
ここで課題となるのは、使用者（家人）が端末器２〜４を設置した自宅に帰宅した場合である。つまり、家人が帰宅時に宅内の中央処理装置１の設定部１１にて警戒モードより非警戒モードに切り替える前に、宅内に設置している警戒中の端末器２〜４に使用者が（不審者の宅内侵入として）検知されてしまうのである。
【００１３】
この課題に関しては新たな提案がされており、図１２に示す制御手段５の要部動作を示すフローチャートを用いて説明する。
【００１４】
警戒動作を開始すると、中央処理装置１は端末器２〜４の侵入検知手段１４が非定常状態を検知するのを待つが、ここでは（わかりやすく説明するために一律に玄関のドアに取り付けた）端末器２の侵入検知手段１４が非定常状態を検知した例を挙げる。図１２のフローチャートに示すように、Ｓ１にて端末器２の侵入検知手段１４が非定常状態を検知すると、Ｓ２〜Ｓ４にて端末器２のブザー手段２０にて短い警報音（約１秒間）を鳴らした後に、Ｓ５にて１分間の停止期間をもうけ、Ｓ６にてＳ５の停止期間中に使用者が中央処理装置１の設定部１１にて警戒モードを非警戒モードに切り替えた場合（つまり警戒解除の操作を行った場合）には警戒動作を終了するが、警戒解除の操作を行わない場合には、Ｓ７にて端末器２のブザー手段２０を再び動作させて本格的な警報音を鳴らす。（同時に外部に電話をかけ通報する）。これにより、端末器が不審者の外部侵入を検知した場合には短い警報音を鳴らして威嚇することにより（端末器２の設置している玄関よりさらに）宅内への侵入を思いとどまらせ、その後に本格的に警報を鳴らして不審者を追い出すわけである。一方、家人の場合には、短い警報音による威嚇は周知のことなので驚きもせず（この例では１分間の）停止期間のうちに宅内の中央処理装置１の操作にて警戒を解除するわけである。
【００１５】
【特許文献１】
特開平０５−２９０４１６号公報（第１−２頁、第１図）
【００１６】
【発明が解決しようとする課題】
しかしながら、前記従来の構成では、中央処理装置１は、非定常状態を検知した時点で非定常状態を検知した端末器のみ短い警報音を鳴らすために、この短い警報音を発した端末器の取り付けられている位置を特定されやすく、その後の（上記の例で言えば１分間の）停止期間に侵入者がその端末器を破壊することにより本格的な警報を行うことができないと言う課題を有していた。
【００１７】
本発明は、上記従来の課題を解決するもので、警戒中に非定常状態を検知した場合、その時点で各端末器の取り付け位置を特定されることなく効果的に警報ブザーを吹鳴可能な監視システムを提供することを目的とする。
【００１８】
【課題を解決するための手段】
前記従来の課題を解決するために、本発明の監視システムは、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて警報音を鳴らすブザー手段とを備え、前記中央処理装置は、定常または非定常状態の監視中に、前記端末器から非定常状態である信号を受信した場合、前記非定常状態を送信した端末器および非定常状態を送信しない前記端末器の前記ブザー手段を所定時間だけ動作させた後に停止させ、その後に前記非定常状態を送信した端末器の前記ブザー手段を動作させるようにしたものである。これにより、中央処理装置が定常または非定常状態の監視中に各端末器にて非定常状態（外部からの侵入）を検知した場合、非定常状態を検知した端末器のみならず他の端末器のブザー手段も用いて一斉に短い時間の警報音を発するため、複数の警報音が宅内に共鳴して各端末器の取り付け位置を特定されにくくするのと同時に宅内への侵入者に対して効果的に威嚇ができ、その後の停止期間を経て非定常状態を検知した端末器による本格的な警報を行うことを可能とするものである。
【００１９】
【発明の実施の形態】
請求項１に記載の発明は、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて警報音を鳴らすブザー手段とを備え、前記中央処理装置は、定常または非定常状態の監視中に、前記端末器から非定常状態である信号を受信した場合、前記非定常状態を送信した端末器および非定常状態を送信しない前記端末器の前記ブザー手段を所定時間だけ動作させた後に停止させ、その後に前記非定常状態を送信した端末器の前記ブザー手段を動作させるようにしたものであり、これにより、中央処理装置が定常または非定常状態の監視中に各端末器にて非定常状態（外部からの侵入）を検知した場合、非定常状態を検知した端末器のみならず他の端末器のブザー手段も用いて一斉に短い時間の警報音を発するため、複数の警報音が宅内に共鳴して各端末器の取り付け位置を特定されることなく効果的に威嚇ができ、その後の停止期間を経て非定常状態を検知した端末器による本格的な警報が可能になるというものである。
【００２０】
請求項２に記載の発明は、請求項１に記載の監視システムにて、中央処理装置は、使用者の操作により前記ブザー手段を動作させる時間を設定する第１の操作入力手段を備え、定常または非定常状態の監視中に、前記端末器から非定常状態である信号を受信した場合、前記非定常状態を送信した端末器および非定常状態を送信しない前記端末器の前記ブザー手段を前記第１の操作入力手段により設定した時間だけ動作させるようにしたものであり、これにより、中央処理装置が定常または非定常状態の監視中に各端末器にて非定常状態（外部からの侵入）を検知した場合、非定常状態を検知した端末器に加えて他の端末器のブザー手段による警報ブザーの吹鳴時間を各端末器を設置する環境に応じて（中央処理装置の操作設定手段にて）自由に設定が可能となる。つまり、閑静な住宅街では短めのブザー吹鳴時間を設定し、反面、周囲の音がうるさい歓楽街では長めのブザー吹鳴時間を設定するなど状況に応じたブザー吹鳴時間を設定可能にするというものである。
【００２１】
請求項３に記載の発明は、請求項１〜２に記載の監視システムにて、中央処理装置は、使用者の操作により前記端末器の中で特定の端末器を設定する第２の操作入力手段を備え、定常または非定常状態の監視中に、前記端末器から非定常状態である信号を受信した場合、前記非定常状態を送信した端末器および非定常状態を送信しない前記端末器の中で前記第２の操作入力手段により設定した特定の端末器の前記ブザー手段を所定時間だけ動作させるようにしたものであり、これにより、中央処理装置が定常または非定常状態の監視中に各端末器にて非定常状態（外部からの侵入）を検知した場合、非定常状態を検知した端末器に加えて短時間の警報ブザーを鳴らす端末器を（中央処理装置の操作設定手段にて）自由に設定することが可能となる。つまり、幼児が就寝しているなどの事情により騒音を嫌う特定の部屋に設置している端末器は、その他の端末器にて非定常状態を検知した場合の短時間警報ブザーは鳴らさないようにするなど端末器別に警報ブザー吹鳴の重みづけを設定可能にするというものである。
【００２２】
請求項４に記載の発明は、請求項１〜３のいずれかに記載の監視システムの少なくとも一つの手段をコンピュータに実行させるためのプログラムである。この構成によれば、監視システムは、定常または非定常状態の監視中に、中央処理装置が定常または非定常状態の監視中に各端末器にて非定常状態を検知した場合、非定常状態を検知した端末器に加えて他の端末器のブザーを短時間吹鳴するため、複数の警報音が宅内に共鳴して各端末器の取り付け位置を特定されることなく効果的な威嚇を可能にするものである。また、プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００２３】
【実施例】
以下、本発明の実施例について、図１〜８を参照しながら説明する。なお、上記従来例と同じ構成のものは同一符号を付して説明を省略する。
【００２４】
（実施例１）
図１は、本実施例１の監視システムのシステムブロック図、図２は、本発明の実施例１の中央処理装置の内部ブロック図、図３は、本発明の実施例１の端末器２〜４の内部ブロック図であり、図４は、中央処理装置２１の要部動作を示すフローチャートである。図１〜３に示すように、中央処理装置２１以外は従来例と同じ構成である。
【００２５】
以上のように構成された監視システムについて、以下その動作、作用を説明する。
【００２６】
警戒動作を開始すると、中央処理装置１は端末器２〜４の侵入検知手段１４が非定常状態を検知するのを待つが、ここでは従来例と同様に（わかりやすく説明するために）玄関のドアに取り付けた端末器２の侵入検知手段１４が非定常状態を検知した例を挙げて説明する。
【００２７】
その他、侵入検知手段１４には人体を検知する人感センサーがあり、この場合は赤外線の受発光部を設けてセンサーの周囲１〜３ｍに発光した赤外線出力の変化に応じて非定常状態を検知する訳である。
【００２８】
図４のフローチャートに示すように、Ｓ１にて端末器２の侵入検知手段１４が非定常状態を検知すると、Ｓ２にて端末器２のブザー手段２０のブザー吹鳴を開始し、Ｓ８にて端末器３のブザー手段２０のブザー吹鳴を開始し、Ｓ９にて端末器４のブザー手段２０のブザー吹鳴を開始し、Ｓ３にて（本格的な警報前の事前警報という意味合いから）プレ警報と称する１秒間の短い警報音を吹鳴させ、Ｓ４およびＳ１０にて吹鳴中のブザーを停止させ、Ｓ５にて１分間の停止期間を設ける。
【００２９】
ここで、Ｓ６にてＳ５の停止期間中に使用者（家人）が宅内の中央処理装置１の設定部１１にて警戒モードを非警戒モードに切り替えた場合（つまり警戒解除の操作を行った場合）には警戒動作を終了するが、警戒解除の操作を行わない場合には、Ｓ７にて端末器２のブザー手段２０を再び動作させて本格的な警報音を鳴らす。これにより、中央処理装置が定常または非定常状態の監視中に各端末器にて非定常状態（外部からの侵入）を検知した場合、非定常状態を検知した端末器のみならず他の端末器のブザー手段も用いて一斉に短い時間の警報音を発するため、複数の警報音が宅内に共鳴して各端末器の取り付け位置を特定されにくく非定常状態を検知した端末器を宅内への侵入者に破壊される恐れを軽減できるばかりか、宅内に設置したすべての端末器からの威嚇音により侵入者に対して効果的に威嚇ができ、その後の停止期間を経て非定常状態を検知した端末器による本格的な警報ができる。
【００３０】
補足するが、近年の犯罪事情を鑑みると、外部からの不審者が短時間のうちに宅内奥の居間まで侵入する場合が多く、監視システムが外部からの不審者に対して如何にして宅内侵入を防ぐか（例として仮に玄関まで入られても如何にして居間まで侵入するのを思いとどまらせるか）という点も重要な要素になっており、その意味でもいずれかの端末器が非定常状態を検知した時点で一斉に短時間の警報ブザーを吹鳴することは大きな効果が期待できる。一方で、上記の例で挙げた停止期間を経て、非定常状態を検知した端末器のみで本格的な警報ブザーを連続的に吹鳴するのは侵入した不審者を追い払う意味合いも大きいが、非定常状態を検知した端末器の周囲（例えば玄関のドアや、ベランダなど）は破壊されている場合も多く（近隣の住民など）周囲の人に対して侵入のあった場所（破壊箇所）を速やかに伝える重要な役割があるため、いずれかの端末器が非定常状態を検知した時点で一斉に短時間の警報ブザーを吹鳴することにより（最終的に本格的な警報ブザーを吹鳴する）非定常状態を検知した端末器を見つけにくくする上でも大きな効果が期待できる。
【００３１】
なお、本実施例では、端末器が一斉に短時間の警報ブザーを吹鳴する時間、および、停止時間を具体的に示したが、これらの時間は特に限定するものでなく監視システムの目的応じて自由に設定しても構わない。
【００３２】
また、本実施例では、端末器の台数を具体的に示したが、台数は特に限定するものではなく、端末器のアドレスコードと状態コードを特定できる限りにおいては、端末器の台数は何台でも構わない。
【００３３】
（実施例２）
図５は、本発明の実施例２の中央処理装置の内部ブロック図、図６は、中央処理装置２１の要部動作を示すフローチャートである。図５に示すように、第１の操作入力手段２５は使用者の操作により端末器２〜４のブザー手段２０を動作させる警報ブザーを吹鳴する時間を設定するものである。その他は、制御手段２４以外は実施例１と同じ構成である。
【００３４】
以上のように構成された監視システムについて、以下その動作、作用を説明する。
【００３５】
図６のフローチャートに示すように、上記実施例１に加えた処理はＳ１１およびＳ１２である。
【００３６】
警戒動作を開始して、Ｓ１にて端末器２の侵入検知手段１４が非定常状態を検知すると、Ｓ２およびＳ８およびＳ９にて端末器２〜４のブザー手段２０のブザー吹鳴を開始し、Ｓ１１にて使用者が第１の操作入力手段２５にて予め設定したブザー手段２０を吹鳴する時間ｔを呼び出し、Ｓ１２にて呼び出した時間ｔだけ（本実施例では１秒間であるが）短い警報音を吹鳴させ、Ｓ４およびＳ１０にて吹鳴中のブザーを停止させる。これにより、中央処理装置が定常または非定常状態の監視中に各端末器にて非定常状態（外部からの侵入）を検知した場合、非定常状態を検知した端末器に加えて他の端末器のブザー手段による警報ブザーの吹鳴時間を各端末器を設置する環境に応じて（中央処理装置の操作設定手段にて）自由に設定が可能となる。つまり、閑静な住宅街では短めのブザー吹鳴時間を設定し、反面、周囲の音がうるさい歓楽街では長めのブザー吹鳴時間を設定するなど状況に応じたブザー吹鳴時間を設定できる。
【００３７】
なお、本実施例では、端末器が一斉に短時間の警報ブザーを吹鳴する時間を端末器２〜４共通の時間としたが端末器毎に設定しても構わない。
【００３８】
（実施例３）
図７は、本実施例３の中央処理装置の内部ブロック図、図８は、中央処理装置２１の要部動作を示すフローチャートである。図７に示すように、第２の操作入力手段２７は使用者の操作により前記端末器の中で特定の端末器を設定するものであり、具体的には、他の端末器が非定常状態を検知した場合に連動して短時間の警報ブザーを吹鳴するか否かを端末器毎に設定する。（端末器別に設定した情報は保持され、制御手段２６により呼び出しが可能である）。その他は、制御手段２６以外は実施例２と同じ構成である。
【００３９】
以上のように構成された監視システムについて、以下その動作、作用を説明する。
【００４０】
図８のフローチャートに示すように、上記実施例２に加えた処理はＳ１３〜Ｓ１５である。
【００４１】
警戒動作を開始して、Ｓ１にて端末器２の侵入検知手段１４が非定常状態を検知すると、Ｓ２にて端末器２のブザー手段２０のブザー吹鳴を開始し、Ｓ１３にて使用者が第２の操作入力手段２７にて予め設定した端末器毎に短時間の警報ブザーを吹鳴するか否かの情報を一括して呼び出し、Ｓ１４およびＳ１５にて第２の操作入力手段２７の設定内容に応じて端末器３〜４の短時間の警報ブザーを吹鳴する。これにより、中央処理装置が定常または非定常状態の監視中に各端末器にて非定常状態（外部からの侵入）を検知した場合、非定常状態を検知した端末器に加えて短時間の警報ブザーを鳴らす端末器を（中央処理装置の操作設定手段にて）自由に設定することが可能となる。つまり、幼児が就寝しているなどの事情により騒音を嫌う特定の部屋に設置している端末器は、その他の端末器にて非定常状態を検知した場合の短時間警報ブザーは鳴らさないようにするなど端末器別に短時間の警報ブザーの入り切りを設定できる。
【００４２】
なお、上述の実施例において第一の操作入力手段２５と第二の操作入力手段２７とをひとつにしてもよい。また、この操作入力手段により１回目のブザー手段の動作から２回目のブザー手段が動作するまでの時間（図４で言えばＳ５の１分間）も操作入力するようにしても良い。
【００４３】
【発明の効果】
以上のように、本発明によれば、監視システムは、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて警報音を鳴らすブザー手段とを備え、前記中央処理装置は、定常または非定常状態の監視中に、前記端末器から非定常状態である信号を受信した場合、前記非定常状態を送信した端末器および非定常状態を送信しない前記端末器の前記ブザー手段を所定時間だけ動作させた後に停止させ、その後に前記非定常状態を送信した端末器の前記ブザー手段を動作させるようにしたものであり、これにより、中央処理装置が定常または非定常状態の監視中に各端末器にて非定常状態（外部からの侵入）を検知した場合、非定常状態を検知した端末器のみならず他の端末器のブザー手段も用いて一斉に短い時間の警報音を発するため、複数の警報音が宅内に共鳴して各端末器の取り付け位置を特定されることなく効果的に威嚇ができ、その後の停止期間を経て非定常状態を検知した端末器による本格的な警報ができる。
【図面の簡単な説明】
【図１】本発明の実施例１のシステムブロック図
【図２】本発明の実施例１の中央処理装置の内部ブロック図
【図３】本発明の実施例１の端末器２〜４の内部ブロック図
【図４】本発明の実施例１の中央処理装置の動作フローチャート
【図５】本発明の実施例２の中央処理装置の内部ブロック図
【図６】本発明の実施例２の中央処理装置の動作フローチャート
【図７】本発明の実施例３の中央処理装置の内部ブロック図
【図８】本発明の実施例３の中央処理装置の動作フローチャート
【図９】従来の監視システムのシステムブロック図
【図１０】従来の監視システムの中央処理装置の内部ブロック図
【図１１】従来の監視システムの端末器２〜３の内部ブロック図
【図１２】従来の中央処理装置の動作フローチャート
【符号の説明】
２、３、４  端末器
６  データ通信手段
７  音声通信手段
８  公衆回線接続手段（通信回線接続装置または外線接続手段）
１０  表示手段
１１  設定部
１２  音声出力手段
１３  音声入力手段
１４  侵入検知手段
２１  中央処理装置
２２  制御手段
２３  端末制御部
２０  ブザー手段
２５  第一の操作入力手段
２７  第二の操作入力手段
【図１】
2004326145.tif 000003
【図２】
2004326145.tif 000004
【図３】
2004326145.tif 000005
【図４】
2004326145.tif 000006
【図５】
2004326145.tif 000007
【図６】
2004326145.tif 000008
【図７】
2004326145.tif 000009
【図８】
2004326145.tif 000010
【図９】
2004326145.tif 000011
【図１０】
2004326145.tif 000012
【図１１】
2004326145.tif 000013
【図１２】
2004326145.tif 000014